(57)【特許請求の範囲】
【請求項１】
両眼視差に基づく立体像を表示する立体像表示体において、
視差を持たせる方向に射出する光強度分布を個別に設定することが可能な素子をストライプ状に配置し、かつ、前記素子を画素を構成する最小単位として用い、
表示する立体像の情報に基づいて、前記最小単位の組み合わせからなる画素を配置して立体像を形成する際、選択された色の前記最小単位の組み合わせからなる画素を、視差を持たせる方向に並べて略ストライプ状セグメントとし、
前記ストライプ状セグメントを、視差を持たせる方向と直交する方向に、一定ピッチで離間させて並設することにより、ストライプ状セグメント群により構成される選択された色の立体像を形成すると共に、
前記立体像と各ペアとしての光強度が均一となるように光強度を反転した情報に基づいて、上記最小単位の組み合わせからなる画素を配置して光強度の反転した関係にある立体像を形成する際、上記選択された色の前記最小単位の組み合わせからなる画素を、視差を持たせる方向に並べてセグメントとし、
上記一定ピッチで離間したストライプ状セグメント群の間に、別なセグメント群として並設することにより、光強度の反転した立体像を形成してなり、上記素子が回折格子からなることを特徴とする立体像表示体。
【請求項２】
両眼視差に基づく立体像を表示する立体像表示体において、
視差を持たせる方向に射出する光強度分布を個別に設定することが可能な素子をストライプ状に配置し、かつ、前記素子を画素を構成する最小単位として用い、
表示する立体像の情報に基づいて、前記最小単位の組み合わせからなる画素を配置して立体像を形成する際、選択された色の前記最小単位の組み合わせからなる画素を、視差を持たせる方向に並べて略ストライプ状セグメントとし、
前記ストライプ状セグメントを、視差を持たせる方向と直交する方向に、一定ピッチで離間させて並設することにより、ストライプ状セグメント群により選択された色の立体像を形成すると共に、
前記立体像の情報に基づいて、上記選択された色とは補色関係にある色の上記最小単位の組み合わせからなる画素を配置して立体像を形成する際、上記選択された色とは補色関係にある色の前記最小単位の組み合わせからなる画素を、視差を持たせる方向に並べてセグメントとし、
上記一定ピッチで離間したストライプ状セグメント群の間に、別なセグメント群として並設することにより、補色関係にある立体像を形成してなり、上記素子が回折格子からなることを特徴とする立体像表示体。
【請求項３】
画素を構成する上記の選択色が複数種類に係ることを特徴とする請求項２記載の立体像表示体。
【請求項４】
上記の選択色がＲ，Ｇ，Ｂの３色であることを特徴とする請求項３記載の立体像表示体。
【請求項５】
上記素子が、曲線の格子縞からなる回折格子により構成され、
画素内の前記素子は、視差を持たせる方向に、互いにほぼ連続的な光強度分布を有する回折光を射出する機能を有することを特徴とする請求項１〜４記載の立体像表示体。
【請求項６】
略ストライプ状に配列された上記セグメントに代えて、マトリクス配列された上記セグメントからなることを特徴とする請求項１〜５記載の立体像表示体。
【請求項７】
請求項１〜６の何れかに記載の立体像表示体に対する照明光の入射面もしくは前記表示体からの表示光の射出面に、２種類のセグメント群に対応した透光部と非透光部を有する光選択透過板を、それぞれのセグメント群と前記透光部と前記非透光部がほぼ一致するように配置して観察することで、遮蔽されないセグメント群からなる３次元パターンを視覚することを特徴とする立体像表示体の観察方法。
【請求項８】
前記光選択透過板の前記非透光部が、光吸収性または光反射性を有することを特徴とする請求項７記載の立体像観察方法。
【請求項９】
前記光選択透過板の前記非透光部が、請求項１〜８の何れかに記載の立体像表示体における２種類のセグメント群のうちの一方に相当する立体像の表示機能を有するものであることを特徴とする立体像表示体の観察方法。
【発明の詳細な説明】
【０００１】
【発明の属する技術分野】
本発明は、３次元画像（立体画像）を表示すると共に、真偽判別の上で有効な立体像表示体とその観察方法の改良に関する。
【０００２】
【従来の技術】
両眼視差に基づく立体像を表示／観察する上で、左右方向（両眼の配置方向）に配列した視差を持つ２次元画像（平面画像）を、左右の目でそれぞれ異なる画像を視覚することが、立体感を得る手法として一般的に行なわれている。
【０００３】
アナグリフ法（青赤メガネ）や偏光メガネを用いる手法とは別に、特殊な器具の不要な手法として、左右方向に並列したストライプ状のバリアを通して、視差を持つ複数枚の２次元画像が同一画面内に合成された画像（以下、合成画像と称する）を観察する手法や、ストライプ状のバリアに代えて、左右方向に周期性を持つレンズ（レンチキュラー）により、合成画像を左右の目で分離して視覚することが行われている。
【０００４】
また、回折格子からなるパターンにより立体像を表示する手法として、本出願人による特開平３−２０６４０１号公報，特開平５−２１４８号公報などに提案されている。（図９，図１０参照）上記の手法は、画素として、視差を持たせる方向，すなわち表示光（１次回折光）を出射させる方向に応じた回折格子（格子方向が異なる）からなるセルを用い、その方向毎に前記セルを使い分けて、合成画像を形成する手法である。
【０００５】
図１０（ａ）に示すように、被写体となる３次元物体を、Ｃ１〜Ｃ４の種々の方向から撮影した２次元画像について、Ｃ１〜Ｃ４の各方向に応じた１次回折光を出射する４種類の回折格子セルを用いて、合成画像を形成した場合、  図１０（ｂ）に示すように、Ｐ１〜Ｐ４の各方向に応じた（それぞれ、Ｃ１〜Ｃ４の方向から撮影した）２次元画像が表示再生されることになり、同図では、観察者の左目がＰ２（Ｃ２），観察者の右目がＰ３（Ｃ３）の画像を視覚するため、立体感を伴って感じられることになる。
【０００６】
回折格子が直線であると、１次回折光の出射方向が限られるため、図９に示すように、曲線の集まりからなる格子を用いると、前記方向に広がりを持たせることが可能となり、隣り合うセル間で１次回折光が出射しない領域を少なくすることが可能となる。
このことは、観察者が左右方向に視点を移動した際に、視覚される視差画像が飛びを伴って感じられることを防ぎ、滑らかに視差が変化することに寄与する。
【０００７】
一方、３次元画像（立体画像）の表示とは別に、セキュリティ（偽造防止）などの目的で、一見では形成したパターンが判別できない「潜像」を形成する技術とそれを適用した表示体が公知であり、潜像の形成されたパターンに、何らかの器具を用いて、形成された潜像のパターンを認識し、表示体の真偽判定を図ることが行われている。
【０００８】
例えば、万線（ストライプ）パターンを重ねることにより、潜像のパターンを観察する方法などである。
しかしながら、立体感を伴って視覚される前記パターンに係る報告例はなく、従来の潜像のパターンは、２次元的（平面的）なパターンに限られていた。
【０００９】
【発明が解決しようとする課題】
本発明は、一見では形成したパターンが判別できない「潜像」を形成する技術を利用して、パターンを識別する際には、立体感を伴って視覚される新規な潜像のパターンとその観察方法を提案し、セキュリティ（偽造防止）効果とアイキャッチ効果の双方を向上させることを目的とする。
【００１０】
【課題を解決するための手段】
請求項１の本発明は、両眼視差に基づく立体像を表示する立体像表示体において、視差を持たせる方向に射出する光強度分布を個別に設定することが可能な素子をストライプ状に配置し、かつ、前記素子を画素を構成する最小単位として用い、表示する立体像の情報に基づいて、前記最小単位の組み合わせからなる画素を配置して立体像を形成する際、選択された色の前記最小単位の組み合わせからなる画素を、視差を持たせる方向に並べて略ストライプ状セグメントとし、前記ストライプ状セグメントを、視差を持たせる方向と直交する方向に、一定ピッチで離間させて並設することにより、ストライプ状セグメント群により構成される選択された色の立体像を形成すると共に、前記立体像と各ペアとしての光強度が均一となるように光強度を反転した情報に基づいて、上記最小単位の組み合わせからなる画素を配置して光強度の反転した関係にある立体像を形成する際、上記選択された色の前記最小単位の組み合わせからなる画素を、視差を持たせる方向に並べてセグメントとし、上記一定ピッチで離間したストライプ状セグメント群の間に、別なセグメント群として並設することにより、光強度の反転した立体像を形成してなり、上記素子が回折格子からなることを特徴とする立体像表示体である。
【００１１】
上記表示体の別形態として、一定ピッチで離間したセグメント群の間に、互いに補色関係にある別なセグメント群を並設することにより、補色関係にある立体像を形成しても良い。
【００１２】
また、画素を構成する上記の選択色が複数種類に渡っていても良く、Ｒ，Ｇ，Ｂの３色としても良い。
【００１３】
（削除）
【００１４】
上記素子が、曲線の格子縞からなる回折格子により構成され、画素内の前記素子は、視差を持たせる方向に、互いにほぼ連続的な光強度分布を有する回折光を射出する機能を持っていても良い。
【００１５】
立体像表示体は、略ストライプ状に配列された上記セグメントに代えて、マトリクス配列された上記セグメントから構成されても良い。
【００１６】
（削除）
【００１７】
（削除）
【００１８】
本発明の立体像表示体の観察にあたっては、表示体に対する照明光の入射面もしくは前記表示体からの表示光の射出面に、２種類のセグメント群に対応した透光部と非透光部を有する光選択透過板を、それぞれのセグメント群と前記透光部と前記非透光部がほぼ一致するように配置して観察する。
【００１９】
前記光選択透過板の前記非透光部が、光吸収性または光反射性を持っていても良い。
【００２０】
前記光選択透過板の前記非透光部が、本発明の立体像表示体における２種類のセグメント群のうちの一方に相当する立体像の表示機能を有するものであっても良い。
【００２１】
＜作用＞
略ストライプ状（または、マトリクス状）に配置されるセグメント群は、同種のセグメント群だけで３次元的（立体的）なパターンを構成するが、通常の観察条件下では、隣接するセグメント群の影響により、両者が光強度の反転した関係にあると、同じ視域では画素同士が明るさを補完し合い、両者が互いに補色関係にあると、同じ視域では画素同士が混色することにより、無彩色となり、結果として、観察者には全体的に、前者の場合は輝度情報を持たない（濃淡のない）パターンとして視覚・認識され、後者の場合は色彩情報を持たないパターンとして視覚・認識され、形成した３次元的（立体的）なパターンを明確に識別することができず、「潜像」として機能する。
【００２２】
前記潜像の識別にあたり、表示体に対する照明光の入射面もしくは前記表示体からの表示光の射出面に、２種類のセグメント群に対応した透光部と非透光部を有する光選択透過板を、それぞれのセグメント群と前記透光部と前記非透光部がほぼ一致するように配置して観察する。
その場合、前記非透光部に対応するセグメント群は被覆され、前記透光部に対応する１種類のみのセグメント群が視覚されるため、同種のセグメント群だけで構成される３次元的（立体的）なパターンを認識できることになる。
【００２３】
このように、本発明の立体像表示体は、通常観察時の均一な面の表示状態と、光選択透過板を重ねた際の立体像表示状態とが容易に切り替えられる。立体像が見える／見えない，もしくは彩色／無彩色の差異は大きなものであり、特にセキュリティ性を要求される媒体に貼付することなどにより、真偽判定が容易に可能な、高い偽造防止効果を持たせることが可能となる。
【００２４】
【発明の実施の形態】
以下、図面を用いて本発明の実施形態を説明する。
【００２５】
＜セグメント群同士が、光強度の反転した関係＞
本実施形態では、潜像の形成方法として、隣接するセグメント群同士の光強度を反転させる手法を採用する。
【００２６】
表示する立体像の情報に基づいて、回折格子を配置して立体像を形成する際、特定色の回折格子の組み合わせからなる画素を、水平方向に並べて略ストライプ状のセグメントとする。前記セグメントを、ストライプの長手方向と直交する垂直方向に、一定ピッチで離間させて並設することにより、特定色のセグメント群からなる立体像を形成する。
【００２７】
図１は、本発明の表示体の一実施形態を示す説明図であり、前記セグメント内の隣接する任意の画素Ａ，Ｂを拡大して表している。
画素Ａは、単位素子Ａ１，Ａ２，Ａ３，…Ａ５からなり、各単位素子は異なる複数の方向から見た場合の被写体の２次元画像を構成する画素に相当する。
【００２８】
以下、単位素子を「セル」と称することもあるが、セルＡ１, Ａ２, Ａ３, …はそれぞれが視差に対応しており、例えば立体像を表示するための視差画像１，２，３…上のＡと同一位置に当たる画素の輝度（明暗）を持った光を、対応する視差方向に射出する機能を持つ。前記機能を持つセルとして、回折格子を用いることが好適であるが、それに限るものではない。
【００２９】
画素Ｂも、セルＢ１，Ｂ２，Ｂ３，…Ｂ５からなり、各セルは画素Ａのセル（Ａ１〜Ａ５）と同一色であるが、それぞれ光強度が補完し合う（光強度が反転した）関係となっている。
【００３０】
光強度の反転した関係とは、各ペア（Ａ１，Ｂ１）（Ａ２，Ｂ２）…としての光強度が均一であることを意味する。
【００３１】
特に、前記各ペアが、人間の眼に均一な明るさと感じられることが望ましい。
すなわち、人間の眼に感じたＡ１の光強度＝１ならば同Ｂ１の光強度＝99とし、同様に、人間の眼に感じたＡ２の光強度＝30ならば同Ｂ２の光強度＝70とするような関係である。
光強度は、セルの面積比に限らず、濃度や回折効率（単位素子として回折格子を用いた場合）などの変調により制御される。
【００３２】
画素Ａをさらに横に多数並べて配置することにより、略ストライプ状のセグメントが形成される。
前記セグメントを、垂直方向に、セグメント幅：Ｈ／２だけ離間させて並設することにより、特定色のセグメント群が形成される。
同様に、画素Ｂについても、略ストライプ状のセグメントおよび画素Ａのセグメント間を埋めるようにセグメント群が形成される。
【００３３】
このように作製された表示体は、一見すると、全体の色調が単一で全く濃淡のない均一（ベタ）な感じを与えることになる。（図４参照）
微視的には、各単位素子はパターンを構成するべく機能しているが、単位素子がペアになると、隣接するペアとは相違ないものとして認識されるためであり、ペア同士に限らずセグメント同士としても同じことが言える。
【００３４】
観察者に、上記の潜像の効果を強く与えるためには、セグメント幅や単位素子のサイズを極力微細にするのが好ましいが、微細化には限度があると共にパターンの作製が困難になるため、観察者の視力（目の分解能）による単位素子の識別能力を上回る微細化で十分である。
画素のペアのサイズ（同図で、縦Ｈ，横Ｗ）は、観察条件にもよるが、３００μｍ角以下であることが望ましい。
【００３５】
図１に示す表示体（潜像パターン）に記録された立体像を識別するには、図２に示す光選択透過板が用いられる。
前記光選択透過板は、図１の表示体のセグメント構造に対応して、略ストライプ状の透過部／遮光部が設けられた板（フィルム等も含む）である。同図で、遮光部の幅ＬはＨ／２に等しくなる。
【００３６】
光選択透過板を、立体像表示体の照明光の入射面もしくは立体像表示体からの光射出面に配置して、各セグメントと透光部と非透光部をほぼ一致させてＡまたはＢのセグメント群を遮蔽すると、遮蔽されないセグメント群からなる３次元パターンが視覚でき、前記光選択透過板をスライドして他のセグメント群を遮蔽すると、別なセグメント群からなる３次元パターンが視覚できる。
視覚される３次元パターンは、図５または図６に示すような状態であり、それぞれ濃淡（光強度）の反転した立体像である。
【００３７】
また、若干斜めに光選択透過板を重ねた場合は、濃淡の縞模様用を伴って立体像が観察される。
一方、立体像表示体のセグメントと光選択透過板の透光部が大きな角度で交差する場合、典型的には略直交する状態では、立体像は視覚されない。
【００３８】
図３は、図１に示す表示体（潜像パターン）を、曲線の回折格子をセルとして用いて実現した場合の一例を示す説明図である。
ここでは、セルの縦方向の面積を変えることにより、対応する視差方向への光強度を変化させている。この場合、画素Ａと画素Ｂとは、図のように対応するセル同士で合計した面積が常に一定になるようにしている。
曲線の回折格子をセルとして用いると、視差を持たせる方向に射出する光強度分布を個別に設定することが容易であり、その射出方向にある程度の範囲を持たせることができる。
【００３９】
＜複数種類の色でパターンを構成する場合＞
単色でなく複数種類の色でパターンを構成する実施形態について説明する。
複数色あるいは複数色の組み合わせから立体像を構成する場合は、基本となる複数色について、両セグメントの光強度を互いに補完し合うように設定する。
図７，図８は、Ｒ，Ｇ，Ｂの３原色を用いて表示体を構成する例を示す説明図である。
【００４０】
図７では、任意の画素Ａについて、それぞれＲ，Ｇ，Ｂの３原色に相当するＡｒ，Ａｇ，Ａｂの画素（副）に分けており、複数のセグメントからの混色により色を表現している。
セルＡｒ１, Ａｒ２, …はそれぞれが視差に対応しており、Ａｒの画素をさらに横に多数並べて配置することにより、略ストライプ状のセグメント（副）を形成している。
Ａｒのセグメント（副）には、それぞれセルＡｒ１, Ａｒ２, …と光強度を反転したセルＢｒ１, Ｂｒ２, …から構成されるＢｒのセグメント（副）が並設される。
Ａｇ，Ｂｇ，Ａｂ，Ｂｂのセグメント（副）についても同様である。
【００４１】
そして、それぞれのセグメント（副）のペア（Ａｒ，Ｂｒ）（Ａｇ，Ｂｇ）（Ａｂ，Ｂｂ）は、上記の実施形態と同様に補完し合うことになる。
【００４２】
図７に示す表示体（潜像パターン）に記録された立体像を識別するには、同図に示す遮光部の幅ＬがＨ／２である光選択透過板を用いることで、立体像Ａと色情報も含めて光強度を反転した立体像Ｂが別々に視覚される。
【００４３】
図８でも、任意の画素Ａについて、それぞれＲ，Ｇ，Ｂの３原色に相当するＡｒ，Ａｇ，Ａｂの画素（副）に分けているが、Ａｒ，Ｂｒ，Ａｇ，Ｂｇ，Ａｂ，Ｂｂのように、交互に隣接して配列するのではなく、（Ａｒ，Ａｇ，Ａｂ）（Ｂｒ，Ｂｇ，Ｂｂ）のように配列する。
図８に示す表示体（潜像パターン）に記録された立体像を識別するには、同図に示す遮光部の幅ＬがＨ／２である光選択透過板が用いられる。
【００４４】
図７，図８の何れの場合においても、光選択透過板を用いずに表示体を視覚すると、画素Ａ，Ｂがそれぞれの原色毎に光強度を補完し合っているため、全体的には、Ｒ，Ｇ，Ｂの３原色の光強度がそれぞれ等しく機能し、白もしくは灰色の無彩色の均一（ベタ）な画像として感じることになる。
従って、複数色を用いたフルカラー表示の際には、光選択透過板を重ねた時との視覚的な差がより明確になる。
【００４５】
複数色の混色により立体像の表示を行う場合、画素内において複数色を配置する方法（図７）と、画素内は一色とし、複数画素，複数のストライプで複数色を表示（図８）しても良い。
前者の場合、セグメントの幅が小さくできない場合でも、比較的良好な混色表示が可能となり、後者の場合は、光選択透過板の配置位置が若干ずれても大きな色変化がなく、正確な色で表示された立体像を観察しやすい。
【００４６】
複数色を用いたフルカラー表示においても、セルとして回折格子を用いることが好適である。
回折格子を用いる場合、表面レリーフ型回折格子であると、エンボス成型により容易に表示体を構成でき、非常に薄く軽くでき、転写箔などとして用いることも可能である。このとき、回折格子をブレーズド型回折格子とすることにより、より明るい表示が可能となる。
このような回折格子を用いた場合、光選択透過板を密着配置することができ、高品位な立体像が観察可能となる。
【００４７】
曲線を等間隔に並べて成る回折格子を用いると、視差方向に対し、連続的な１次回折光の分布を作り出すことが可能となり、連続的な視域を持つ立体像表示が可能となる。
【００４８】
回折格子でセル毎の光強度を変調するには、１次回折光強度を変化させることが必要であり、セル毎の面積を明るさに対応させて変える方法と、セル毎の回折効率を明るさに対応させて変える方法がある。後者の場合、回折格子の深さなどを変えることにより容易に実現でき、また、セルの大きさは一定と出来るため、万線パターンを重ねる位置が若干ずれていても立体像が観察されやすく、検証が一層容易に可能となる。
【００４９】
（削除）
【００５０】
（削除）
【００５１】
また、本発明は、上記実施形態に限られるものではなく、種々の変更が可能である。例えば、
（ａ）立体像表示体に光選択透過板を重ねて立体像を観察する際に、光選択透過板の非透過部が光吸収性を有していると、光選択透過板の透光部のみから光が射出するので、コントラストの高い立体像が観察できる。
【００５２】
（ｂ）光選択透過板の非透過部が光反射性を有している場合、正反射光との差異により、立体像表示体からの射出光による表現色を明確に識別することが可能となる。特に、回折格子をセルとして用いている場合には、立体像表示体からの０次回折光および１次回折光のそれぞれの色及び射出方向について、光選択透過板からの正反射光の色及び射出方向を基準として確認することにより、より正確な真偽判定を行うことができる。
【００５３】
（ｃ）光選択透過板の非透光部が立体像表示体におけるセグメント群の一方だけに相当する機能を有するものであり、観察する立体像表示体と同一の立体像を表示するようにすることにより、両者の立体像が一致することにより、より明るい立体像が観察できる。また、立体像表示体の真偽判定においては、３次元的な立体像同士の比較が可能であり、肉眼による正確な判定が可能となる。
【００５４】
（ｄ）光選択透過板の非透光部が立体像表示体におけるストライプ内のセグメント群の一方だけに相当する機能を有するものであり、観察する立体像表示体とは異なる立体像を表示するようにすることにより、両者の立体像が重複し、３次元的に合成された画像を観察することが可能になる。立体像表示体の真偽判定においては、両者で表示する立体像をそれぞれ片方だけでは不完全とし、両者を重複・合成して観察したときのみ完全な立体像が観察出来るようにすることにより、肉眼による正確な判定が可能となる。
【００５５】
（ｅ）また、上記実施形態では、セグメント群Ａとセグメント群Ｂとを、同一色での光強度が補完し合う関係として規定したが、光強度が同一な補色関係として規定することで、光選択透過板を用いない場合には、白もしくは灰色の無彩色の立体像として感じることになり、本来は多色の立体像を、一見して無彩色のものとして認識させることになり、やはり潜像の効果を奏することになる。
【００５６】
（ｆ）本発明では、各セグメント群の形状はストライプ状に限らず、市松模様のように、各セグメントを略マトリクス状に配置することも可能である。
その場合、光選択透過板も、ストライプ状でなく略マトリクス状の透光部／非透光部を持つ構成のものが採用される。
【００５７】
【発明の効果】
以上説明したように、本発明の表示体によって、パターンを識別する際には、立体感を伴って視覚される新規な潜像のパターンとその観察方法が提供され、前記表示体の適用によって、セキュリティ（偽造防止）効果とアイキャッチ効果の双方を向上させることができる。
【００５８】
【図面の簡単な説明】
【図１】本発明の立体像表示体の一実施形態を示す説明図。
【図２】図１に示す立体像表示体の観察に用いる光選択透過板
【図３】曲線の格子縞からなる回折格子により構成される本発明の立体像表示体の一実施形態を示す説明図。
【図４】本発明の立体像表示体の一実施形態について、単体で観察する場合、一見すると、全体の色調が単一で全く濃淡のない均一（ベタ）な感じを与えることを示す説明図。
【図５】本発明の立体像表示体の一実施形態について、光選択透過板を配置して観察する場合、一方のセグメント群のみからなる立体像が視覚される状態を示す説明図。
【図６】本発明の立体像表示体の一実施形態について、光選択透過板を配置して観察する場合、濃淡（光強度）の反転した他方のセグメント群のみからなる立体像が視覚される状態を示す説明図。
【図７】本発明の立体像表示体を、Ｒ，Ｇ，Ｂの３原色を用いて表示体を構成する一例を示す説明図。
【図８】本発明の立体像表示体を、Ｒ，Ｇ，Ｂの３原色を用いて表示体を構成する他例を示す説明図。
【図９】回折格子からなるパターンにより立体像を表示する手法を示す説明図。
【図１０】図９の原理を示す説明図。
【図１１】印刷あるいは転写などにより形成され、視差を持たせる方向に周期的な曲率を有するレンチキュラーシートと組み合わせた素子により構成される本発明の立体像表示体の一実施形態を示す説明図。
【図１】
0004940507.tif 000002
【図２】
0004940507.tif 000003
【図３】
0004940507.tif 000004
【図４】
0004940507.tif 000005
【図５】
0004940507.tif 000006
【図６】
0004940507.tif 000007
【図７】
0004940507.tif 000008
【図８】
0004940507.tif 000009
【図９】
0004940507.tif 000010
【図１０】
0004940507.tif 000011
【図１１】
0004940507.tif 000012